(57)【特許請求の範囲】
【請求項１】
室外機本体内を仕切り板で仕切り、その一方空間は室外熱交換器および上下に２台の送風機などを配置する熱交換室となし、他方空間は圧縮機および電気部品箱などを配置する機械室となした空気調和機の室外機において、
前記送風機は、ファンモータにファンを取付けて構成され、
前記仕切り板の上端縁に上側送風機のリード線導出部が設けられ、
前記仕切り板の上下方向の中間部に下側送風機のリード線導出部が設けられ、
前記送風機のファンモータからそれぞれ引き出されるリード線が、各々の前記リード線導出部を介して前記機械室に導出され、前記電気部品箱に電気的に接続されるとともに、前記リード線は、互いに全長が略同一寸法に形成される
ことを特徴とする空気調和機の室外機。
【請求項２】
前記ファンモータの下部に前記リード線を引き出すリード線引き出し部が設けられ、
前記リード線導出部は、それぞれ対応するファンモータのリード線引き出し部よりも上方部位に設けられ、
前記ファンモータのリード線引き出し部と前記リード線導出部との間のリード線に、前記リード線引き出し部よりも下方に弛み曲成される弛み部を備えたことを特徴とする請求項１記載の空気調和機の室外機。
【発明の詳細な説明】
【０００１】
【発明の属する技術分野】
本発明は、複数台の送風機を備えた空気調和機の室外機に係り、特に、それぞれの送風機を構成するファンモータから引き出され電気部品箱に電気的に接続されるリード線の処理構造に関する。
【０００２】
【従来の技術】
一般に用いられる空気調和機は、被空調室に配置される室内機と、屋外に配置される室外機とからなり、これら室内外機相互間に冷媒配管および電気配線が接続される。
【０００３】
特に室外機では、筐体である室外機本体内を仕切り板で仕切り、一方空間を熱交換室と呼んでいて、室外熱交換器と、ファンモータおよびファンからなる送風機などが配置される。他方空間を機械室と呼んでいて、圧縮機と冷媒配管類および電気部品箱などが配置される。
【０００４】
【発明が解決しようとする課題】
ところで、たとえば業務用と呼ばれる中型の空気調和機においては、室外機に備えられる室外熱交換器の高さ寸法が人の身長近くもある、縦長形状をなす。そのため、室外熱交換器に外気を送る送風機は１台では充分な熱交換作用をなさず、２台必要となっている。
【０００５】
なお説明すれば、図７に概略的に示すように、室外機本体内における熱交換室には２台の送風機１０ａ，１０ｂが上下方向に並んで支持され、それぞれのファンモータ１１ａ，１１ｂからリード線Ａ，Ｂが引き出される。
【０００６】
下部側ファンモータ１１ｂから引き出されるリード線Ｂは上部側ファンモータ１１ａ近傍まで延出され、ここで上部側ファンモータから引き出されるリード線Ａと１本に束ねられる。
【０００７】
仕切り板３における上部側送風機１０ａ近傍部位には、孔部からなるリード線導出部Ｈが設けられていて、各リード線は１本に束ねられたまま挿通され、機械室において電気部品箱内の端子部１８に電気的に接続される。
【０００８】
このような空気調和機の室外機の組み立てにあたって、各ファンモータ１１ａ，１１ｂに接続されるリード線Ａ，Ｂの長さが互いに異なるところから、２種類の長さのものを用意しなければならず、その作業が面倒なものとなる。
【０００９】
共通型式のファンモータ１１ａ，１１ｂを使用すると、所定期間毎に行う保守点検時においてファンモータの識別ができないので、サービス性が悪い。リード線Ａ，Ｂの色や、リード線端子の色もしくは形状を変えて識別しようとすると、複数のファンモータを共通化できない。
【００１０】
また、送風機１０ａ，１０ｂは外気を図示しない室外熱交換器へ導くところから、強い降雨がある場合には、雨水が外気に混入することがある。リード線Ａ，Ｂに水切り機構を備えることができないので、リード線に付着した水滴はそのままファンモータ１１ａ，１１ｂ上部に設けられるリード線引き出し部ｍ，ｎに伝わり、これを濡らす虞れがある。
【００１１】
そして、リード線導出部Ｈ前後のリード線Ａ，Ｂがほぼ水平に延出されるので、リード線Ａ，Ｂに付着した水滴がリード線導出部Ｈを浸透して機械室５に浸入し、ついには電気部品箱内の端子部１８を濡らす虞れがある。
【００１２】
本発明は、前記事情に着目してなされたものであり、その目的とするところは、複数台の送風機を備え、送風機を構成するファンモータを共通にしてコストの低減化が得られ、保守点検時におけるファンモータの識別が容易化して作業性の向上を図れる空気調和機の室外機を提供しようとするものである。
【００１３】
【課題を解決するための手段】
前記目的を満足するため、本発明の空気調和機の室外機は、請求項１として、室外機本体内を仕切り板で仕切り、その一方空間は室外熱交換器および上下に２台の送風機などを配置する熱交換室となし、他方空間は圧縮機および電気部品箱などを配置する機械室となした空気調和機の室外機において、送風機はファンモータにファンを取付けて構成され、仕切り板の上端縁に上側送風機のリード線導出部が設けられ、仕切り板の上下方向の中間部に下側送風機のリード線導出部が設けられ、送風機のファンモータからそれぞれ引き出されるリード線が各々のリード線導出部を介して機械室に導出され、電気部品箱に電気的に接続されるとともに、前記リード線は、互いに全長が略同一寸法に形成されることを特徴とする。
【００１４】
請求項２として、請求項１記載の空気調和機の室外機においてファンモータの下部にリード線を引き出すリード線引き出し部が設けられ、リード線導出部はそれぞれ対応するファンモータのリード線引き出し部よりも上部部位に設けられ、ファンモータのリード線引き出し部とリード線導出部との間のリード線にリード線引き出し部よりも下方に弛み曲成される弛み部を備えたことを特徴とする。
【００１６】
このような課題を解決する手段を採用することにより、請求項１の発明では、共通のファンモータを使用しても確実に識別できて、保守点検時のサービス性が向上するとともに、全て同一長さのリード線を用意すればよく、互いのリード線の管理と、ファンモータに対する接続作業が容易化して、作業性の向上を得られる。
【００１７】
請求項２の発明では、リード線に付着した水滴は全て弛み部から滴下して、リード線を伝わって機械室の電気部品箱内にまで浸入することがなく、漏電などの電気的事故を確実に防止できる。
【００１９】
【発明の実施の形態】
以下、本発明の一実施の形態を、図面を参照して説明する。
【００２０】
図１に、空気調和機を構成する室外機の外観を示す。筐体からなる室外機本体１は縦長の矩形箱状をなしている。図における左側面と、図示しない背面一部とは矩形状に交差する桟体１ａが用いられ、本体１内が透視できる。また、これら左側面と背面を除く全ての面は、板体から形成される。
【００２１】
室外機本体１の前面一側部には、ファンガード２ａ，２ｂが上下に並んで取付けられる。これらファンガード２ａ，２ｂは室外機本体１内に配置される後述する送風機に対向して取付けられていて、熱交換空気の通風を損なわない程度で指や物の侵入を阻止する。
【００２２】
図２に、室外機を分解して示す。前記室外機本体１は、前記ファンガード２ａ，２ｂが取付けられる第１の前面板１ｂと、この第１の前面板と並んで設けられる第２の前面板１ｃと、右側面および背面一部をなす折曲板１ｄと、天板１ｅ、底板１ｆなどの板体および前記桟体１ａとの組合わせ体からなる。
【００２３】
室外機本体１内は仕切り板３によって二分される。この仕切り板３の前面側端縁は、前記第１の前面板１ｂと第２の前面板１ｃとの合わせ縁と一致する。仕切り板３の背面部は、端縁近傍において斜めに折曲され、かつこの端縁は前記折曲板１ｄの背面端縁と桟体１ａ端部との合わせ縁と一致する。
【００２４】
そして、仕切り板３の上端縁は天板１ｅに当接され、仕切り板の下端縁は底板１ｆに当接されて、室外機本体１内を仕切る。室外機本体１内における前記ファンガード２ａ取付け部位と対向する仕切り空間の一方を熱交換室４と呼び、対向しない他方空間を機械室５と呼ぶ。
【００２５】
前記熱交換室４は、その一部を桟体１ａによって囲まれるところから外部と連通されるが、特に機械室５は、その周囲を第２の前面板１ｃや折曲板１ｄなどの板体で囲まれる。ただし、機械室５は外部に対して、および熱交換室４に対してある程度の隙間が形成される。
【００２６】
前記第１の前面板１ｂには、それぞれ周囲を円形のベルマウス６ａ，６ｂで囲まれた円形の吹出し口７ａ，７ｂが上下に並んで開口され、これら吹出し口を覆うよう前記ファンガード２ａ，２ｂが取付けられる。
【００２７】
ここでは、それぞれのファンガード２ａ，２ｂは、水平中心軸を境界線として、半分は半円状をなし、残りの半分は矩形状をなす外郭枠ａが形成される。この外郭枠ａ内には、同心円状に形成される複数の円状桟ｂと、これら円状桟間に介在され、かつ放射状に複数の放射状桟ｃが設けられてなる。
【００２８】
したがって、各ファンガード２ａ，２ｂが第１の前面板１ｂの吹出し口７ａ，７ｂにそれぞれ対向して取付けられた状態で、外郭枠ａの半円状部分が吹出し口７ａ，７ｂの半円部分に沿うが、残りの矩形状部分は吹出し口周縁から突出して第１の前面板１ｂの板面に直接対向することになる。
【００２９】
前記熱交換室４には、室外熱交換器８が配置されるとともに、送風機支持体９に支持される２台の送風機１０ａ，１０ｂが配置される。
前記室外熱交換器８は、底板１ｆ上に載置され、その高さ寸法は第１の前面板１ｂとほぼ同一に設計される。そして、本体１の右側面と背面を形成する前記桟体１ａに沿うよう、平面視でほぼＬ字状に形成されている。
【００３０】
前記送風機支持体９は、下端部が底板１ｆ上に取付け固定され、上端部が室外熱交換器８の上端面に掛止されて、縦長状をなす。この送風機支持体９の上下部に所定間隔を存して、前記送風機１０ａ，１０ｂが支持される。それぞれの送風機１０ａ，１０ｂは、ファンモータ１１ａ，１１ｂと、このファンモータの回転軸に嵌着固定されるプロペラ型のファン１２ａ，１２ｂとから構成される。
【００３１】
組立てられた状態で、それぞれの送風機１０ａ，１０ｂは各吹出し口７ａ，７ｂに対向する位置にあり、前記ファン１２ａ，１２ｂの一部は吹出し口７ａ，７ｂに取付けられるベルマウス６ａ，６ｂ内に挿入され、このベルマウス内で回転送風をなす。
【００３２】
また、それぞれのファンモータ１１ａ，１１ｂには、ここでは図示しないリード線が接続され、熱交換室４に引き出されるリード線引き出し部を備えている。そして、後述するようにしてリード線の接続処理がなされる。
【００３３】
一方、機械室５には圧縮機１３が配置されるとともに、この圧縮機と並んでアキュームレータ１４が配置される。前記圧縮機１３の上方部位には四方弁１５があって、圧縮機１３とアキュームレータ１４および四方弁１５とは図示しない冷媒管を介して接続される。さらに、圧縮機１３と前記室外熱交換器８とも図示しない冷媒管を介して接続されていて、室内機の室内熱交換器と冷凍サイクルを構成している。
【００３４】
機械室５における上部には電気部品箱１６が取付けられる。この電気部品箱１６は、インバータ１７と端子部１８が取付けられる前面箱部材１６ａと、制御用電気部品やジャイアント・トランジスタなどの電気部品類１９が取付けられる側面箱部材１６ｂからなる。
【００３５】
つぎに、図３ないし図６にもとづいて、各送風機１０ａ，１０ｂを構成するファンモータ１１ａ，１１ｂからそれぞれ引き出されるリード線の接続処理構造について詳述する。
【００３６】
図３に示すように、上部側送風機１０ａを構成するファンモータ１１ａの下部にリード線２０ａを引き出すためのリード線引き出し部２１ａが設けられている。この引き出し部２１ａから引き出されるリード線２０ａは、一旦、送風機支持体９に沿って上方へ延出され、さらに仕切り板３の上端縁に設けられる上部側リード線導出部２２ａに配線される。
【００３７】
下部側送風機１０ｂを構成するファンモータ１１ｂの下部にリード線２０ｂを引き出すためのリード線引き出し部２１ｂが設けられている。この引き出し部２１ｂから引き出されるリード線２０ｂは、一旦、送風機支持体９に沿って上方へ延出され、さらに仕切り板３のほぼ中間部に設けられる下部側リード線導出部２２ｂに配線される。
【００３８】
すなわち、仕切り板３には、上，下部側ファンモータ１１ａ、１１ｂのリード線引き出し部２１ａ，２１ｂからそれぞれ引き出されるリード線２０ａ，２０ｂに対応して、リード線導出部２２ａ，２２ｂが設けられている。各リード線２０ａ，２０ｂは、それぞれ対応するリード線導出部２２ａ，２２ｂを介して機械室５に導出される。
【００３９】
図４に示すように、前記仕切り板３の上端縁に略Ｕ字状の切欠きが設けられていて、ここが上部側リード線導出部２２ａとなる。さらに、機械室５において電気部品箱１６の前面箱部材１６ａの上端縁にも略Ｕ字状の切欠き２３が設けられていて、上部側リード線導出部２２ａから延出されるリード線２０ａが掛止される。
【００４０】
図５に示すように、前面箱部材１６ａの切欠き２３から延出されるリード線２０ａは、前面箱部材１６ａに沿って降下するよう屈曲され、その先端が前記端子部１８に電気的に接続される。
【００４１】
また、下部側ファンモータ１１ｂから引き出されるリード線２０ｂは、仕切り板３における下部側リード線導出部２２ｂを介して機械室５内に延出され、上方へ屈曲されてから端子部１８に電気的に接続される。
【００４２】
図６に示すように、仕切り板３に設けられる上部側リード線導出部２２ａは、上部側ファンモータ１１ａのリード線引き出し部２１ａよりも上方部位に設けられ、かつ下部側リード線導出部２２ｂは、下部側ファンモータ１１ｂのリード線引き出し部２１ｂよりも上方部位に設けられている。
【００４３】
そして、熱交換室４における各リード線２０ａ，２０ｂは、それぞれＵ字状に曲成される弛み部Ｒａ，Ｒｂを備えている。すなわち、それぞれの弛み部Ｒａ，Ｒｂは、リード線引き出し部２１ａ，２１ｂより下部側で、かつ引き出し部と各リード線導出部２２ａ，２２ｂとの間に形成される。
【００４４】
再び図５および図６に示すように、機械室５における特に上部側リード線２０ａにおいても、切欠き２３から端子部１８に至るまでの間に弛み部Ｒｃが形成されている。なお、機械室５における下部側のリード線２０ｂは、リード線導出部２２ｂが端子部１８よりも下方部位に設けられているので、これらの間に弛み部は存在しない。
【００４５】
さらに他の特徴のひとつとして、上部側ファンモータ１１ａから引き出されて端子部１８に接続されるリード線２０ａの全長と、下部側ファンモータ１１ｂから引き出されて端子部１８に接続されるリード線２０ｂの全長は、互いに同一となるよう設定されている。
【００４６】
このように、上下方向に所定間隔を存して支持される送風機１０ａ，１０ｂのファンモータ１１ａ，１１ｂからそれぞれ引き出されるリード線２０ａ，２０ｂを、仕切り板３に設けられる上部側リード線導出部２２ａと、下部側リード線導出部２２ｂを介して機械室５に導出し、電気部品箱１６内の端子部１８に電気的に接続するようにしたので、共通のファンモータ１１ａ，１１ｂを使用しても確実に識別できて、保守点検時のサービス性が向上する。
【００４７】
また、それぞれのファンモータ１１ａ，１１ｂの下部にリード線引き出し部２１ａ，２１ｂを備えて、それぞれリード線２０ｂを引き出し、これらリード線引き出し部２１ａ，２１ｂよりも上方部位に設けられるリード線導出部２２ａ，２２ｂとの間に、リード線引き出し部よりも下方に弛む弛み部Ｒａ，Ｒｂを形成したから、熱交換室４に浸入した雨水がリード線２０ａ，２０ｂに付着しても、全ての弛み部Ｒａ，Ｒｂから滴下する。
【００４８】
すなわち、リード線２０ａ，２０ｂに付着した水滴は熱交換室４に滴下してしまい、リード線導出部２２ａ，２２ｂを介して機械室５に浸入することがなく、電気部品箱１６内での漏電などの電気的事故を確実に防止できる。
【００４９】
なお、送風機１０ａ，１０ｂの作用にともなって、機械室５を形成する板体１ｃなどと仕切り板３および天板１ｅの合せ部の隙間を介して、外気が機械室５内に導入される。
【００５０】
この導入過程において、外気により機械室５内の圧縮機１３や電気部品箱１６の電気部品類を冷却する。そのあと、外気は機械室５から熱交換室４に導かれ、外部に排出される。
【００５１】
また、雨天の場合は、外気に雨水の一部が混合し、隙間を介して機械室５内に浸入することもある。上部側のリード線２０ａに付着した水滴は、機械室５内に形成される弛み部Ｒｃにおいて滴下し、端子部１８に至ることがない。
【００５２】
機械室５における下部側のリード線２０ｂに水滴が付着しても、端子部１８からリード線導出部２２ｂに亘って下方に傾斜しているので、水滴が端子部１８に至ることがない。
【００５３】
さらに、上部側ファンモータ１１ａのリード線引き出し部２１ａから引き出されて端子部１８までのリード線２０ａの全長と、下部側ファンモータ１１ｂのリード線引き出し部２１ｂから引き出されて端子部１８までのリード線２０ｂの全長が、互いに同一となるよう設定したから、全て同一長さのリード線を用意すればよく、互いのリード線の管理と、ファンモータ１１ａ，１１ｂに対する接続作業が容易化して、作業性の向上を得られる。
【００５４】
【発明の効果】
以上説明したように本発明では、複数台の送風機を備える空気調和機の室外機において、送風機を構成するファンモータが共通のものを使用できてコストの低減化が得られ、ファンモータの識別を確実になすなどの効果を奏する。
【図面の簡単な説明】
【図１】本発明の実施の形態を示す、空気調和機の室外機の外観図。
【図２】同実施の形態の、室外機を構成する部品を分解して示す斜視図。
【図３】同実施の形態の、室外機本体内の内部構造を示す斜視図。
【図４】同実施の形態の、上部側ファンモータに接続されるリード線の処理構造を示す斜視図。
【図５】同実施の形態の、機械室における各リード線の処理構造を示す斜視図。
【図６】同実施の形態の、各リード線の処理構造を概略的に示す斜視図。
【図７】従来の、各リード線の処理構造を概略的に示す斜視図。
【符号の説明】
１…室外機本体、
３…仕切り板、
８…室外熱交換器、
１０ａ…上部側送風機、
１０ｂ…下部側送風機、
４…熱交換室、
１３…圧縮機、
１６…電気部品箱、
５…機械室、
１１ａ…上部側ファンモータ、
１１ｂ…下部側ファンモータ、
１２ａ，１２ｂ…ファン、
２０ａ…上部側リード線、
２０ｂ…下部側リード線、
２２ａ…上部側リード線導出部、
２２ｂ…下部側リード線導出部、
２１ａ…上部側リード線引き出し部、
２１ｂ…下部側リード線引出し部、
Ｒａ，Ｒｂ…弛み部。
【図１】
0004430257.tif 000002
【図２】
0004430257.tif 000003
【図３】
0004430257.tif 000004
【図４】
0004430257.tif 000005
【図５】
0004430257.tif 000006
【図６】
0004430257.tif 000007
【図７】
0004430257.tif 000008